【事件の表示】
　特許第２７７６３５６号「液晶表示装置」の請求項１に係る特許に対する特許異議の申立てについて、次のとおり決定する。
【結論】
　訂正を認める。
　特許第２７７６３５６号の請本項１に係る特許を維持する。
【理由】
（１）手続きの経緯
　本件特許第２７７６３５６号は平成８年１月３０日に出願され、平成１０年５月１日にその設定登録がなされ、その後、堀望一より特許異議の申立てがなされ、取消理由通知がなされ、その指定期間内である平成１１年６月１１日に訂正請求がなされ、訂正拒絶理由通知がなされ、その指定期間内である平成１１年９月１０日に訂正請求の補正がなされたものである。
（２）訂正請求の補正についての適否
　訂正請求の補正の内容は、特許請求の範囲の請求項１の「前記端子部間および引き出し配線部間にこれらと交差しないように遮光パターンが形成されていること」を、特許請求の範囲の減縮を目的として「前記端子部間および引き出し配線部間にこれらと同一平面上でかつ接触しないように遮光パターンが形成されていること」と補正するものであり、「交差しないように」を、明細書の記載と整合するように、「同一平面上でかつ接触しないように」と減縮するものであるから、補正の要件を満たしており、これを認める。
（３）訂正の適否についての判断
▲１▼訂正の内容
　訂正請求の内容は、特許請求の範囲の減縮を目的として、特許請求の範囲の請求項１及び請求項２、
「【請求項１】　ガラス基板上にマトリクス状に透明画素電極が配置され、その透明画素電極に電圧を印加するための端子部およびこれに接続するため設置された引き出し配線部が設けられた基板と、ガラス基板上に対向電極が形成された対向基板と、これらの基板間に封入された液晶物質とを有する液晶表示装置において、前記端子部間および引き出し配線部間に遮光パターンが形成されていることを特徴とする液晶表示装置。
　【請求項２】　前記遮光パターンが、短冊形状をしていることを特徴とする請求項１記載の液晶表示装置。」
を、
「【請求項１】　ガラス基板上にマトリクス状に透明画素電極が配置され、その透明画素電極に電圧を印加するための端子部およびこれに接続するため設置された引き出し配線部が設けられた基板と、ガラス基板上に対向電極が形成された対向基板と、これらの基板間に封入された液晶物質とを有する液晶表示装置において、前記端子部間および引き出し配線部間にこれらと同一平面上でかつ接触しないように遮光パターンが形成されていることを特徴とする液晶表示装置。
　【請求項２】　ガラス基板上にマトリクス状に透明画素電極が配置され、その透明画素電極に電圧を印加するための端子部およびこれに接続するため設置された引き出し配線部が設けられた基板と、ガラス基板上に対向電極が形成された対向基板と、これらの基板間に封入された液晶物質とを有する液晶表示装置において、前記端子部間および引き出し配線部間に遮光パターンが形成されており、前記遮光パターンが、短冊形状をしていることを特徴とする液晶表示装置。」
と訂正するものである。
▲２▼訂正の目的の適否、新規事項の有無及び拡張・変更の存否
　上記訂正は、特許請求の範囲の請求項１では、「（端子部間および引き出し配線部間に）これらと同一平面上でかつ接触しないように（遮光パターンが形成されている）」と構成要件を限定したものであり、特許請求の範囲の減縮に該当し、実質上特許請求の範囲を拡張・変更するものではないし、願書に最初に添付した明細書の記載に基づくものであるから、新規事項の追加にも該当しない。
　また、請求項２の訂正は、請求項１の訂正に伴い、従属請求項であった請求項２を、独立請求項に変更するものであり、不明瞭な記載の釈明に該当し、実質上特許請求の範囲を拡張・変更するものではないし、新規事項の追加にも該当しない。
　以下、訂正後の請求項１に係る発明の独立特許要件について検討する。
▲３▼独立特許要件の判断
（引用例）
　取消理由で通知した、本件出願の出願日前の他の出願であって、本件出願の出願後に出願公開された特願平７−３１５０６１号（特開平９−１６０００２号）の願書に最初に添付した明細書又は図面（以下、先願明細書という。）には、公開公報の記載箇所により示すと、
「複数のスイッチング素子、複数の画素電極および配線電極群からなるマトリクス状の画像表示領域を有するアレイ基板と、共通電極を有する対向基板とを所定の隙間を保持して配置し、かつその隙間内に液晶組成物を充填することにより構成し、前記アレイ基板上で、かつ画像表示領域の外側に不透明な遮光部を具備した液晶表示装置。」（特許請求の範囲請求項１）、
「本発明の液晶表示装置では、アレイ基板上の画素表示領域の外側に不透明な遮光部を具備したことによって、画素電極を通過しない光は遮断され、画素領域の周辺に光り漏れが生じない。したがって、黒表示の品質が高まり、コントラストが高く、高品位の画像が得られる。」（公報第２頁右欄第１８行〜第２３行）、
「図１は本発明の一実施例の液晶表示装置を示す図で、図４と同一部分には同一番号を付している。図１（ｂ）は図１（ａ）のＡ−Ａ’線の断面図、図１
（ｃ）はＢ−Ｂ’線の断面図である。【００１２】まず、以下に本発明のアレイ基板Ａについて説明する。アレイ基板Ａは、絶縁基板６上に、プラズマＣＶＤで生成した膜厚５０ｎｍの非晶質珪素を半導体とした薄膜トランジスタ（ＴＦＴ）からなる複数のスイッチング素子１と、スパッタにより生成した膜厚１００ｎｍのインジウムー錫酸化物（以下ＩＴＯ）からなる画素電極群２と、スパッタ成膜した膜厚２００ｎｍのアルミニウムからなる走査信号線４ｂと、膜厚３５０ｎｍのアルミニウム１９と膜厚７０ｎｍのチタン２０の２層構造からなる画像信号線４ａを形成して画像表示領域を設け、そして画像信号線４ａと同様な構成をもつ外部駆動回路からの信号入力電極５を形成している。さらに、プラズマＣＶＤで成膜された膜厚１５０ｎｍの窒化珪素層２１とスパッタにて成膜された膜厚１００ｎｍの酸化タンタル層２２とからなるゲート絶縁膜２３を挟んで下層に位置するように、画素表示領域の外側に不透明なクロム膜からなる遮光部としての遮光層２４が形成されている。前記クロム膜はスパッタにより形成され、この膜厚は１５０ｎｍであり、光を透過しない。
　【００１３】図２は本発明の実施例における液晶表示装置の断面構成図とこれを用いたモジュール構成を示している。次に図２の詳細を説明する。前記アレイ基板Ａに、ＩＴＯからなる透明な共通電極７とクロムによって形成されたフラックストライプ層である遮光層８とポリイミド配向膜を有したガラス基板による絶縁基板９からなる対向基板Ｂを、ガラスファイバー或いは樹脂微粒子からなるスペーサ１０を介在させて画素電極２と共通電極７を対向させて樹脂接着剤にて貼合わせ、スペーサ１０により形成された隙間に液晶組成物１１を充填し、液晶表示装置を構成する。ここで、液晶はＴＮ型液晶組成物を用いた。」（公報第２頁右欄第２９行〜第３頁左欄第１３行）と記載されており、図１には、信号入力電極５間、画像信号線４ａ聞及び走査信号線４ｂ間に遮光層２４が形成されていること、が示されている。
　したがって、先願明細書には、
「絶縁基板上に複数のスイッチング素子、透明画素電極群、走査信号線及び画像信号線からなるマトリクス状の画像表示領域を有し、画像信号線と同様な構成をもつ外部駆動回路からの信号入力電極を形成したアレイ基板と、絶縁基板上に共通電極が形成された対向基板と、これらの基板間に充填された液晶組成物とを有する液晶表示装置において、前記信号入力電極間、画像信号線間及び走査信号線間に遮光層が形成されていることを特徴とする液晶表示装置。」の発明（以下、先願発明という。）が記載されている。
（対比・判断）
　訂正後の請求項１に係る発明（以下、訂正発明という。）と先願発明とを対比すると、先願明細書には、訂正発明の構成要件である、
「（端子部間および引き出し配線部間に）これらと同一平面上でかつ接触しないように（遮光パターンが形成されている）」構成について記載されていない。
　そして、訂正発明は、該構成要件を具備することにより、先願発明と比較して、（異物やピンホール等によって）引き出し配線または端子と遮光パターンとの間で層間ショートが発生することがない、大きな寄生容量が形成されない、という作用効果を奏する。
　したがって、訂正発明は、先願発明と同一発明ではないから、訂正発明が特許出願の際独立して特許を受けることができないものである、とすることはできない。
（むすび）
　よって、本件訂正請求は、特許法等の一部を改正する法律（平成６年法律第１１６号）附則第６条第１項の規定によりなお従前の例によるとされる、特許法第１２０条の４第２項及び同条第３項で準用する第１２６条第２項乃至第４項の規定に適合するので、当該訂正を認める。
（４）特許異議申立について
（本件発明）
　本件特許第２７７６３５６号の請求項１に係る発明は、訂正請求書により訂正された特許明細書及び図面の記載からみて、その特許請求の範囲の請求項１に記載されたとおりのものと認める。
（特許異議申立人の主張の概要）
　これに対して、特許異議申立人堀望一は、甲第１号証として特開平９−１６０００２号公報を提示して、本件請求項１に係る発明は、甲第１号証に記載された発明と同一であるから、特許法第２９条の２の規定により特許を受けることができない発明である、旨主張している。
（当審の判断）
　特許異議申立人堀望一の提示した甲第１号証は取消理由で通知した先願明細書であるから、上記（３）▲３▼（引用例）に示した発明が記載されており、上記（３）▲３▼（対比・判断）に記載した如く、本件請求項１に係る発明は、先願発明と同一発明ではない。
（むすび）
　以上のとおりであるから、特許異議申立ての理由及び証拠によっては本件請求項１に係る発明の特許を取り消すことはできない。
　また、他に本件請求項１に係る発明の特許を取り消すべき理由を発見しない。
　よって、結論のとおり決定する。
【異議決定日】
平成１１年１１月１６日（１９９９．１１．１６）
【訂正の要旨】
１．訂正事項１
　特許請求の範囲の減縮を目的として、特許請求の範囲の請求項１及び請求項２、
「【請求項１】　ガラス基板上にマトリクス状に
　透明画素電極が配置され、その透明画素電極に電圧を印加するための端子部およびこれに接続するため設置された引き出し配線部が設けられた基板と、ガラス基板上に対向電極が形成された対向基板と、これらの基板間に封入された液晶物質とを有する液晶表示装置において、前記端子部間および引き出し配線部間に遮光パターンが形成されていることを特徴とする液晶表示装置。
　【請求項２】　前記遮光パターンが、短冊形状
　をしていることを特徴とする請求項１記載の液晶表示装置。」
を、
「【請求項１】　ガラス基板上にマトリクス状に
透明画素電極が配置され、その透明画素電極に電圧を印加するための端子部およびこれに接続するため設置された引き出し配線部が設けられた基板と、ガラス基板上に対向電極が形成された対向基板と、これらの基板間に封入された液晶物質とを有する液晶表示装置において、前記端子部間および引き出し配線部間にこれらと同一平面上でかつ接触しないように遮光パターンが形成されていることを特徴とする液晶表示装置。
　【請求項２】　ガラス基板上にマトリクス状に
　透明画素電極が配置され、その透明画素電極に電圧を印加するための端子部およびこれに接続するため設置された引き出し配線部が設けられた基板と、ガラス基板上に対向電極が形成された対向基板と、これらの基板間に封入された液晶物質とを有する液晶表示装置において、前記端子部間および引き出し配線部間に遮光パターンが形成されており、前記遮光パターンが、短冊形状をしていることを特徴とする液晶表示装置。」
と訂正する。
（５４）【発明の名称】
液晶表示装置
（５７）【特許請求の範囲】
　【請求項１】　ガラス基板上にマトリクス状に透明画素電極が配置され、その透明画素電極に電圧を印加するための端子部およびこれに接続するため設置された引き出し配線部か設けられた基板と、ガラス基板上に対向電極か形成された対向基板と、これらの基板間に封入された液晶物質とを有する液晶表示装置において、前記端子部間および引き出し配線部に
これらと同一平面上でかつ接触しないよう
　【請求項２】　
ガラス基板上にマトリクス状に透明画素電極が配置され、その透明画素電極に電圧を印加するための端子部およびこれに接続するため設置された引き出し配線部が設けられた基板と、ガラス基板上に対向電極が形成された対向基板と、これらの基板間に封入された液晶物質とを有する液晶表示装置において、前記端子部間および引き出し配線部間に遮光パターンか形成されており、
【発明の詳細な説明】
　【０００１】
　【発明の属する技術分野】本発明は、液晶表示装置に関し、特に透過型液晶表示装置に関する。
　【０００２】
　【従来の技術】液晶表示装置は、液晶を２枚の電極で挟み、その間に電界を印加することにより、液晶の光学的性質をかえて表示を行なっている。この液晶表示装置に電界を印加する方式の一つとして、各画素電極にそれぞれ連続的に一定電圧信号を供給するスタティック駆動があるが、画像表示のように大容量の表示の場合、信号線数が膨大な数となり現実的ではない。そこで、大容量の情報表示の際には時分割して信号電圧を各画素に供給するマルチプレックス駆動が採用される。マルチプレックス駆動の中でも、画素電極に与えた電荷を次フレームにまで保持する手段を有するアクティブマトリクス方式が表示品位が高い。本発明では、このアクティブマトリクス液晶表示装置を対象とする。
　【０００３】まず、液晶表示装置の一般的な構成について説明する。図８は、アクティブマトリクス液晶表示装置の平面図である。図１０は図８のｄ−ｄ′線断面図、図１１は図８のｅ−ｅ′線断面図である。液晶表示装置は液晶パネル１１、光源１２、駆動用回路１３よりなる。液晶パネル１１は、表示部１４、端子部１５、引き出し配線部１６からなる。また、光源１２は蛍光管１７、リフレクタ１８、および導光板１９よりなる。図１０′図１１に示すように、ＴＦＴ側ガラス基板２１上には、透明画素電極２２がマトリクス状に形成され、電圧印加のための端子２３が図９に示すように短冊状に設けられ、この端子２３と透明画素電極２２を接続するため、引き出し配線２４が設置される。対向側ガラス基板２５上には、透明対向電極２６が設けられる。これらＴＦＴ側ガラス基板２１と対向側ガラス基板２５を白色のシール部材２７で貼り合わせ、基板間の隙間に液晶２８を封入し、ＴＦＴ側ガラス基板の下にＴＦＴ側偏光板２９を、対向側ガラス基板の上に対向側偏光板３０を貼り付けることで液晶パネル１１が完成する。光源１２は蛍光管１７と蛍光管から発せられた光を同一方向に反射するために設けられたリフレクタ１８、および光を液晶パネルに向け放射するために設置された導光板１９よりなる。透明画素電極２２は引き出し配線２４を介して端子２３に接続される。端子２３には半透明のＴＣＰ３１が張り付けられる。駆動用回路１３はＴＣＰ３１を介し、液晶パネル１１の端子２３に電気的に接続される。
　【０００４】次に、液晶表示装置の動作について説明する。図８，図１０，図１１に示すように液晶パネル１１内の透明画素電極２２には、駆動用回路１３により発した電気信号が駆動用ドライバーを搭載したＴＣＰ３１を介して加えられる。透明画素電極２２に信号電圧が印加されると、対向電極２６と画素電極２２の電位差により液晶２８に電圧が印加される。すると、液晶の電気光学的特性と偏光板の特性により、液晶パネル１１の光透過率が変化する。すると、光源１２から発した光が液晶パネル１１を透過する光量が変化する。これによって、液晶表示装置は表示を行う。
　【０００５】図９に図８Ｆ部の拡大図を示す。端子部１５間は、遮光するパターンが存在しておらず無色透明である。ここで、図１０と、図１１を比較すると、ｄ−ｄ′線断面ではｅ−ｅ′線断面と異なり、端子２３、引き出し配線２４で光線が反射されないため、図１０の３２に示すような漏れ光が液晶２８を透過せず表示部１４に入射する。そのため、表示部１４内で、引き出し配線２４に近い部分ｆ−ｆ′においては、引き出し配線２４及び端子２３のように遮光部分が密になっており、ＴＣＰ３１が貼り付けてある部分の表示部隣接箇所と、端子部１５間のように遮光要素が存在しない部分の表示部隣接箇所では表示画面に漏れる光量が異なり表示部１４内で輝度ムラが生じる。ここで、引き出し配線間スペースは約１．５μｍの狭スペースである。図１２に、この表示部周辺から、表示部に漏れる光量分布を示した。ｆ１〜ｆ５は、図８の各位置に相当する。
　【０００６】この、輝度ムラの改善策の過去の公知例としては、まずシール部材を黒色に着色する方式（特開平７−１３１７１）がある。しかし、新規材料の開発が必要となるなどの問題がある。その他にリジッド基板で遮光する方式（特開昭６４−５６４１６）があるが、これは液晶表示装置のパッケージの大きさ等に関係し自由度が高い方法とは思われない。その他にシール部材の形成部分を覆うように遮光膜を形成する方式（実開昭６３−４５５３４）がある。この方式は遮光層が液晶パネルの外側に設置されており、プロセスが増すことが予想される。また、これらの方式では表示面内への迷光の光量は一様に低減するものの、図１２ｆ−ｆ′間の表示部位位置に依存する明るさのバラツキは完全には抑制できない。また、視感度が高い中間調ではこの明るさのバラツキは目立ち、表示品位を低下させる。
　【０００７】
　【発明が解決しようとする課題】本発明では、液晶表示装置において、遮光のための特別なプロセス、材料を必要とせず、表示部内の引き出し配線に近い部分での横方向での明るさバラツキを解決することを課題とする。
　【０００８】
　【課題を解決するための手段】本発明は、ガラス基板上にマトリクス状に透明画素電極が配置され、その透明画素電極に電圧を印加するための端子部および引き出し配線部が設けられた基板と、ガラス基板上に対向電極が形成された対向基板と、これらの基板間に封入された液晶とを有する液晶表示装置において、前記端子部および引き出し配線部間に遮光パターンを設置したことを特徴とする。遮光パターンは短冊形状をしている。
　【０００９】
　【発明の実施の形態】次に本発明について図面を参照して述べる。図１は本発明の第１の実施の形態の平面図、図３，図４はそれぞれ図１のａ−ａ′線ｂ−ｂ′線断面図である。これらの図から明らかなように、この実施の形態の液晶表示装置は液晶パネル１１、光源１２、駆動用回路１３よりなる。液晶パネル１１は、表示部１４、端子部１５、引き出し配線部１６、端子間遮光パターン２０からなる。また、光源１２は蛍光管１７、リフレクタ１８および導光板１９よりなる。図２に、図１のＥ部の拡大図を示す。端子部１５間に、引き出し配線２４および端子２３と接触しないよう端子間遮光パターン２０を設けている。この実施の形態では端子２３と端子間遮光パターン２０のスペースは端子間スペースと同一スペース（約７０μｍ）、引き出し配線２４と端子間遮光パターン２０のスペースは引き出し配線間と同一（約２０μｍ）とした。
　【００１０】図３，図４の断面図に示すように、ＴＦＴ側ガラス基板２１上には、透明画素電極２２がマトリクス状に形成され、電圧印加のための端子２３が図２に示すように短冊状に設けられ、この端子２３と透明画素電極２２を接続するため、引き出し配線２４が設置される。端子部１５間には、端子間遮光パターン２０が端子２３及び引き出し配線２４と同一工程で形成される。対向側ガラス基板２５上には、透明対向電極２６が設けられる。これらＴＦＴ側ガラス基板２１と対向側ガラス基板２５を白色のシール部材２７で貼り合わせ、基板間の隙間に液晶２８を封入し、ＴＦＴ側ガラス基板の下にＴＦＴ側偏光板２９を、対向側ガラス基板の上に対向側偏光板３０を貼り付けることで液晶パネル１１が完成する。光源１２は、蛍光管１７と蛍光管から発せられた光を同一方向に反射するために設けられたリフレクタ１８、および光を液晶パネルに向け放射するために設置された導光板１９よりなる。透明画素電極２２は引き出し配線２４を介し端子２３に接続される。端子２３には半透明のＴＣＰ３１が張り付けられる。駆動用回路１３はＴＣＰ３１を介し、液晶パネル１１の端子部１５に電気的に接続される。
　【００１１】この実施の形態の構造では、図３に示すように従来技術で存在していた表示部周辺から表示部１４に斜めに侵入する漏れ光３２は、遮光パターン２０によりブロックされる。そのため、端子部１５と端子部間の、光源１２から液晶２８を透過せず表示部１４に侵入する光量は減少し、図１のｃ−ｃ′間で表示部への漏れ光の位置バラツキは、従来例と比較して低減される。ｃ−ｃ′間の明るさのバラツキを図５に示す。なお、Ｃｌ〜Ｃ５は図１の各箇所に対応する。
　【００１２】また、この実施の形態によれば遮光パターン２０が端子２３及び引き出し配線２４と同時にフォトリソグラフィの技術により形成されるため１．５μｍの高精度で形成でき、工程も増さない。以上のようにこの実施の形態によれば、端子部１５間からの光もれはなくなり、表示部１４で明るさの差が低減され、良好な表示が得られる。
　【００１３】図６は本発明の第２の実施の形態を示す図で、端子部近傍を表わしている。この実施の形態では、遮光パターン２０の形状を引き出し配線２４、端子２３の短冊形状にしている。この遮光パターンの短冊の幅は次式のように決定される。
　【００１４】短冊幅＝端子幅（または引き出し配線幅）×（１００＋ＴＣＰの光透過率［％］）／１００このような遮光パターンにすると、以下の２点で有利である。第１に、端子部１５と端子部間から表示部１４に漏れる光量に差がなくなり、表示部内の配線に隣接する側での明るさのバラツキがほぼ完全になくなる。図７にこの実施の形態における表示部周辺から表示部へ漏れる光量分布を示す。Ｃ１〜Ｃ６は図１の各箇所に対応している。第２に、図２では、Ａ、Ｂが導通した場合、端子間が導通し不良となるが、図６では、Ｃ、Ｄが導通したとしても端子間は導通せず、導通不良の可能性が減少する。
　【００１５】
　【発明の効果】以上に述べたように、本発明により端子部の存在の有無に起因する表示部周辺から、表示部内に斜めに侵入する光漏れ量の差を低減することにより、表示面内の引き出し配線部に近い領域での横方向の明るさバラツキを抑制でき、表示品位が向上した。
【図面の簡単な説明】
　【図１】本発明の第１の実施の形態の液晶表示素子の平面図である。
　【図２】図１のＥ部の拡大詳細図である。
　【図３】図１のａ−ａ′線断面図である。
　【図４】図１のｂ−ｂ′線断面図である。
　【図５】本発明の第１の実施の形態における表示部周辺から表示部へ漏れる光量を示す図である。
　【図６】本発明の第２の実施の形態における端子部近傍の拡大詳細図である。
　【図７】本発明の第２の実施の形態の場合の表示部周辺から表示部へ漏れる光量を示す図である。
　【図８】従来技術の液晶表示素子の平面図である。
　【図９】図８のＦ部の拡大詳細図である。
　【図１０】図８のｄ−ｄ′線断面図である。
　【図１１】図８のｅ−ｅ′線断面図である。
　【図１２】従来技術の表示部周辺から表示部へ漏れる光量を示す図である。
　【符号の説明】
１１　液晶パネル
１２　光源
１３　駆動用回路
１４　表示部
１５　端子部
１６　引き出し配線部
１７　蛍光管
１８　リフレクタ
１９　導光板
２０　端子間遮光パターン
２１　ＴＦＴ側ガラス基板
２２　透明画素電極
２３　端子
２４　引き出し配線
２５　対向側ガラス基板
２６　透明対向電極
２７　シール部材
２８　液晶
２９　ＴＦＴ側偏光板
３０　対向側偏光板
３１　ＴＣＰ
３２　漏れ光